(57)【要約】【課題】高精細化しても書込み動作時の放電遅れを短くでき安定した書込み放電を実現することができるプラズマディスプレイパネルを発光効率を改善した駆動方法によって駆動する際、さらに無効電力を低減して消費電力を削減できる駆動方法およびプラズマディスプレイ装置を提供する。【解決手段】走査電極ＳＣ１〜ＳＣｎおよび維持電極ＳＵ１〜ＳＵｎとデータ電極Ｄ１〜Ｄｍとで形成される複数の主放電セルと、走査電極ＳＣ１〜ＳＣｎとプライミング電極ＰＲ１〜ＰＲｎとで形成される複数のプライミング放電セルとを有したプラズマディスプレイパネルを、初期化期間、書込み期間、維持期間を有する複数のサブフィールドの組み合わせによって駆動して階調表示を行い、少なくとも維持期間において、データ電極Ｄ１〜Ｄｍに印加する駆動波形と同じ電圧波形をプライミング電極ＰＲ１〜ＰＲｎに印加する。【選択図】図４
2005338457.tif 000002
【特許請求の範囲】
【請求項１】
第１の基板上に互いに平行に配置された走査電極および維持電極と、
前記第１の基板と放電空間を挟んで対向配置された第２の基板上に前記走査電極および前記維持電極と交差する方向に配置されたデータ電極と、
前記データ電極を覆う誘電体層と、
前記誘電体層上に設けられ前記走査電極および前記維持電極と平行に配置されたプライミング電極と、
前記走査電極および前記維持電極と前記データ電極とで形成された複数の主放電セルと、前記走査電極と前記プライミング電極とで形成された複数のプライミング放電セルとを区画する隔壁とを備えたプラズマディスプレイパネルを有するプラズマディスプレイ装置であって、
前記データ電極に結合され、前記プラズマディスプレイパネルに蓄えられた電力を前記データ電極から回収して再利用する電力回収部を備えた第１の電圧印加手段と定電圧を印加する電源を備えた第２の電圧印加手段とを有し前記データ電極を駆動するデータ電極駆動回路と、
前記プライミング電極に印加するプライミング放電用の駆動電圧を出力するプライミング電極駆動回路と、
前記プライミング電極駆動回路からの出力と前記データ電極駆動回路からの出力とを切替えて前記プライミング電極に印加する切替え手段と、
を備えたことを特徴とするプラズマディスプレイ装置。
【請求項２】
前記電力回収部は電力回収および再利用のためのインダクタンス素子とコンデンサを備えたものであることを特徴とする請求項１に記載のプラズマディスプレイ装置。
【請求項３】
全主放電セルに初期化放電を行わせる初期化期間と、表示する映像に応じて選択された主放電セルに書込み放電を行わせる書込み期間と、書込み放電が行われた主放電セルに維持発光のための維持放電を行わせる維持期間とを有する複数のサブフィールドで１フィールドを構成して前記プラズマディスプレイパネルの駆動を行い、
前記データ電極駆動回路は、少なくとも前記書込み期間においては前記書込み放電のための書込みパルスを前記データ電極に印加し、前記維持期間においては前記維持放電に先がけて行う予備放電のための予備放電パルスを前記データ電極に印加することを特徴とする請求項１または請求項２に記載のプラズマディスプレイ装置の駆動方法。
【請求項４】
前記切替え手段は、前記維持期間において、少なくとも前記第１の電圧印加手段から前記データ電極に電圧を印加する期間、前記データ電極駆動回路からの出力を前記プライミング電極に印加するように切替えることを特徴とする請求項３記載のプラズマディスプレイ装置の駆動方法。
【請求項５】
前記切替え手段は、少なくとも前記書込み期間においては前記プライミング電極駆動回路からの出力を前記プライミング電極に印加し、前記維持期間においては前記データ電極駆動回路からの出力を前記プライミング電極に印加するように切替えることを特徴とする請求項４記載のプラズマディスプレイ装置の駆動方法。
【発明の詳細な説明】
【技術分野】
【０００１】
本発明は、壁掛けテレビや大型モニターに用いられるプラズマディスプレイ装置およびその駆動方法に関する。
【背景技術】
【０００２】
ＡＣ型として代表的な交流面放電型プラズマディスプレイパネル（以下、ＰＤＰと呼ぶ）は、面放電を行う走査電極および維持電極を配列して形成したガラス基板からなる前面板と、データ電極を配列して形成したガラス基板からなる背面板とにより構成されている。走査電極および維持電極とデータ電極とがマトリックスを組むように、しかも間隙に放電空間を形成するように対向配置し、その外周部をガラスフリットなどの封着材によって封着している。前面板と背面板との間には、隔壁によって区画された放電セルが設けられ、この隔壁間の放電セルに蛍光体層を形成している。このような構成のＰＤＰにおいては、ガス放電により紫外線を発生させ、この紫外線でＲ、Ｇ、Ｂの各色の蛍光体を励起して発光させることによりカラー表示を行っている。
【０００３】
ＰＤＰは、１フィールド期間を複数のサブフィールドに分割し、発光させるサブフィールドの組み合わせによって駆動し階調表示を行う。各サブフィールドは少なくとも初期化期間、書込み期間および維持期間からなり、画像データを表示するためには、初期化期間、書込み期間および維持期間でそれぞれ異なる信号波形を各電極に印加している。
【０００４】
初期化期間には、例えば、正のパルス電圧をすべての走査電極に印加し、走査電極および維持電極を覆う誘電体層上の保護膜および蛍光体層上に必要な壁電荷を蓄積する。
【０００５】
書込み期間では、すべての走査電極に順次負の走査パルスを印加することにより、走査電極を走査する。表示データがある場合、走査電極を走査しているアドレス期間に、データ電極に正の書込みパルスを印加すると、走査電極とデータ電極との間で放電が起こり、走査電極上の保護膜の表面に壁電荷が形成される。
【０００６】
続く維持期間では、一定の期間、走査電極と維持電極との間に放電を維持するのに十分な電圧を印加する。これにより、走査電極と維持電極との間に放電プラズマが生成され、一定の期間、蛍光体層を励起発光させる。アドレス期間にデータパルスが印加されなかった放電空間では、放電は発生せず蛍光体層の励起発光は起こらない。これにより、それぞれの放電セルを発光、非発光に制御して画像を表示する。
【０００７】
ところが、このようなＰＤＰでは、書込み期間の放電に大きな放電遅れが発生し、書込み動作が不安定になったり、あるいは書込み動作を完全に行うために書込み時間を長く設定し書込み期間に費やす時間が大きくなりすぎるといった課題があった。これらの課題を解決するために、前面板に補助放電電極を設け前面板側の面内補助放電によってプライミング放電を発生させることによって放電遅れを小さくするＰＤＰとその駆動方法が提案されている（例えば、特許文献１）。
【０００８】
また、大画面化が進むＰＤＰの消費電力を削減するために、維持期間において、維持放電に先行して走査電極または維持電極とデータ電極との間に補助放電を発生させることで、ＰＤＰの発光効率を改善する駆動方法が提案されている（例えば、特許文献２）。
【特許文献１】特開２００２−２９７０９１号公報
【特許文献２】特開２００１−５４２５号公報
【発明の開示】
【発明が解決しようとする課題】
【０００９】
一般に、ＰＤＰにおいては、高精細化するために走査電極数を増加すると、その多数の走査電極のためにアドレス期間に費やす時間が大きくなるため、維持期間に費やす時間が減少して、輝度の確保が難しいという課題が生じる。さらに、高輝度・高効率化を達成するために、放電ガスであるキセノン（Ｘｅ）分圧を上げた場合、放電開始電圧が上昇するとともに放電遅れが大きくなり、アドレス特性が悪化してしまうという課題が生じる。
【００１０】
このような高精細化した場合でもアドレス期間を短縮するために前記のようなプライミング放電を利用しようとしても、従来の前面板の面内でプライミング放電を行うＰＤＰでは、アドレス時の放電遅れを十分に短縮できなかったり、あるいはプライミング放電の動作マージンが小さくなる、誤放電を誘発して動作が不安定であるなどの課題があった。また、プライミング放電が前面板の面内で行われるために隣接する放電セルへプライミングに必要な粒子以上のプライミング粒子が供給されてクロストークが生じるなどの課題があった。
【００１１】
そこで、本出願人は、これらの課題を解決するために、特願２００２−３２０８９８や特願２００３−４２８６２において、プライミング放電を行わせるためのプライミング電極を背面板に設け、さらに、発光を行う放電セルと隣り合わせにプライミング放電を行うためのプライミング放電セルを設けたＰＤＰを提案した。
【００１２】
しかしながら、このような背面板にプライミング電極を設けることによって高精細化したＰＤＰにおいては、背面板にプライミング電極を設けたため、プライミング電極と誘電体層を挟んで対向するデータ電極との間に寄生容量が生じ、維持期間においてデータ電極に補助放電のための駆動パルスを印加する際に、この寄生容量の充電に消費され発光には寄与しない無効電力が発生するという課題があった。
【００１３】
本発明は、このような課題に鑑みてなされたものであり、背面板にプライミング電極を設けたＰＤＰの発光効率を改善し、さらに無効電力を低減して消費電力を削減することができるプラズマディスプレイ装置を提供することを目的とする。
【課題を解決するための手段】
【００１４】
このような目的を達成するために、本発明のプラズマディスプレイ装置は、第１の基板上に互いに平行に配置された走査電極および維持電極と、第１の基板と放電空間を挟んで対向配置された第２の基板上に走査電極および維持電極と交差する方向に配置されたデータ電極と、データ電極を覆う誘電体層と、誘電体層上に設けられ走査電極および維持電極と平行に配置されたプライミング電極と、走査電極および維持電極とデータ電極とで形成された複数の主放電セルと、走査電極とプライミング電極とで形成された複数のプライミング放電セルとを区画する隔壁とを備えたプラズマディスプレイパネルを有するプラズマディスプレイ装置であって、データ電極に結合され、プラズマディスプレイパネルに蓄えられた電力をデータ電極から回収して再利用する電力回収部を備えた第１の電圧印加手段と定電圧を印加する電源を備えた第２の電圧印加手段とを有しデータ電極を駆動するデータ電極駆動回路と、プライミング電極に印加するプライミング放電用の駆動電圧を出力するプライミング電極駆動回路と、プライミング電極駆動回路からの出力とデータ電極駆動回路からの出力とを切替えて前記プライミング電極に印加する切替え手段と、を備えた構成である。
【００１５】
このような構成によれば、高精細化しても書込み動作時の放電遅れを短くして放電特性を安定化させるＰＤＰを発光効率を改善した駆動方法によって駆動する際、ＰＤＰに蓄えられた電力をデータ電極から回収して再利用することができ、さらに無効電力を低減して消費電力を削減することができる。
【００１６】
また、電力回収部は電力回収および再利用のためのインダクタンス素子とコンデンサを備えた構成であってもよい。このような構成によればＰＤＰに蓄えられた電力をＬＣ共振によってデータ電極から回収して再利用することができる。
【００１７】
また、プラズマディスプレイ装置を、全主放電セルに初期化放電を行わせる初期化期間と、表示する映像に応じて選択された主放電セルに書込み放電を行わせる書込み期間と、書込み放電が行われた主放電セルに維持発光のための維持放電を行わせる維持期間とを有する複数のサブフィールドで１フィールドを構成してプラズマディスプレイパネルの駆動を行い、データ電極駆動回路は、少なくとも書込み期間においては書込み放電のための書込みパルスをデータ電極に印加し、維持期間においては維持放電に先がけて行う予備放電のための予備放電パルスをデータ電極に印加してもよい。このような駆動方法によれば、維持放電に先がけて予備放電を起こすことができ、維持放電時の発光効率を改善して駆動することができる。
【００１８】
また、切替え手段は、維持期間において、少なくとも第１の電圧印加手段からデータ電極に電圧を印加する期間、データ電極駆動回路からの出力をプライミング電極に印加するように切替えてもよい。このような駆動方法によれば、維持期間において、少なくとも第１の電圧印加手段からデータ電極に印加する駆動電圧と同じ電圧波形の駆動電圧をプライミング電極に印加することができ、さらに無効電力を低減することができる。
【００１９】
また、切替え手段は、少なくとも書込み期間においてはプライミング電極駆動回路からの出力をプライミング電極に印加し、維持期間においてはデータ電極駆動回路からの出力をプライミング電極に印加するように切替えてもよい。このような駆動方法によれば、維持期間において、データ電極に印加する駆動電圧とプライミング電極に印加する駆動電圧とを同じ電圧波形にすることができ、さらに無効電力を低減することができる。
【発明の効果】
【００２０】
本発明のプラズマディスプレイ装置によれば、書込み動作時の放電遅れを短くして放電特性を安定化させるＰＤＰを発光効率を改善した駆動方法によって駆動する際、さらに無効電力を低減して消費電力を削減することができる。
【発明を実施するための最良の形態】
【００２１】
以下、本発明の実施の形態について、図面を参照しながら説明する。
【００２２】
（第１の実施の形態）
図１は本発明の第１の実施の形態におけるＰＤＰを示す断面図であり、図２は同ＰＤＰの背面基板側の構造を模式的に示す斜視図である。
【００２３】
図１に示すように、ＰＤＰ１０は第１の基板であるガラス製の前面基板２１などよりなる前面板５０と、第２の基板である背面基板３１などよりなる背面板６０とが放電空間を挟んで対向して配置され、その外周部をガラスフリット（図示せず）などの封着材によって封着している。放電空間には放電によって紫外線を放射する放電ガスとして、ネオン（Ｎｅ）およびキセノン（Ｘｅ）などの混合ガスが封入されている。
【００２４】
前面板５０の前面基板２１上には、走査電極２２と維持電極２３とが互いに平行に対をなして複数形成されている。このとき、維持電極２３−走査電極２２−走査電極２２−維持電極２３−・・・となるように２本ずつ交互に配列されている。走査電極２２と維持電極２３はそれぞれ透明電極２２ａ、２３ａと、透明電極２２ａ、２３ａ上に重なるように形成された金属母線２２ｂ、２３ｂとから構成されている。隣り合う走査電極２２−走査電極２２の間、および維持電極２３−維持電極２３の間には発光時のコントラストを高めるために黒色材料などからなる光吸収層２８が設けられている。
【００２５】
走査電極２２同士が隣り合う光吸収層２８上には、走査電極２２のうち一方の走査電極２２から金属母線２２ｂが延長されて補助電極２２ｂ’が形成されている。そして、これらの走査電極２２、維持電極２３および光吸収層２８を覆うように鉛−ホウ素（Ｐｂ−Ｂ）系ガラスなどからなる前面板誘電体層２４が形成され、さらにその上に酸化マグネシウム（ＭｇＯ）などからなる保護層２５が設けられている。
【００２６】
背面板６０の背面基板３１上には、走査電極２２および維持電極２３と交差する方向に、データ電極３２が互いに平行に複数形成されている。そして、データ電極３２を覆うように誘電体層３３ａが形成され、誘電体層３３ａの上に、前面基板２１に設けられた補助電極２２ｂ’と対応する位置に、走査電極２２および維持電極２３と平行にプライミング電極３６が複数形成されている。さらに、プライミング電極３６を覆って誘電体層３３ｂが設けられている。
【００２７】
また、誘電体層３３ｂ上には隔壁３４が形成され、隔壁３４は放電空間を区画して、走査電極２２および維持電極２３とデータ電極３２とで形成される複数の主放電セル４０を形成している。隔壁３４は、図２に示すように、データ電極３２と平行な方向に延びる縦隔壁３４ａと、走査電極２２および維持電極２３と平行な方向に延び、主放電セル４０の間に隙間部４１を形成する横隔壁３４ｂとで構成されている。
【００２８】
隙間部４１はひとつおきにプライミング電極３６を有し、補助電極２２ｂ’とプライミング電極３６を有した隙間部４１はプライミング放電セル（以下、プライミングセルと略記する）４１ａとして形成される。したがって、主放電セル４０は、横隔壁３４ｂとこの横隔壁３４ｂに交差するように設けられた縦隔壁３４ａとにより格子状に形成されている。
【００２９】
また、図１に示すように、主放電セル４０には蛍光体層３５がそれぞれの隔壁３４側面と誘電体層３３ｂ上に形成されている。蛍光体層３５は背面板６０に設けられたそれぞれのデータ電極３２に対応しており、紫外線によって赤色、青色、緑色に発光する蛍光体層３５が交互に設けられ、同一データ電極３２上に設けられた主放電セル４０には同一色の蛍光体層３５が形成されている。
【００３０】
前面基板２１と背面基板３１を対向配置して封着する際、前面基板２１上に形成された走査電極２２の金属母線２２ｂのうち光吸収層２８上に突出した補助電極２２ｂ’と、背面基板３１上に形成されたプライミング電極３６とが平行に、かつプライミングセル４１ａを挟んで対向するように位置合わせする。すなわち、図１、図２に示したＰＤＰ１０は、前面基板２１側に形成された補助電極２２ｂ’と、背面基板３１側に形成されたプライミング電極３６との間でプライミング放電を行う構成となっている。また、図１ではプライミングセル４１ａ側に蛍光体層３５を形成していないが、これは、放電を阻害する働きのある蛍光体層を設けないことでプライミング放電を発生しやすくするためである。さらに、補助電極２２ｂ’とプライミング電極３６との間隔はデータ電極３２と透明電極２２ａとの間隔よりも短いので、プライミング放電は書込み放電よりも放電開始電圧が低く、放電が発生しやすい。また、データ電極３２とプライミング電極３６とは誘電体層３３ａによって絶縁を確保し、プライミング放電と書込み放電とが互いに影響を受けずに安定してできる。
【００３１】
なお、図１、図２にはプライミング電極３６を覆うようにさらに誘電体層３３ｂが形成されているが、この誘電体層３３ｂは形成しなくてもよい。
【００３２】
図３は本発明の第１の実施の形態におけるＰＤＰ１０の電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが維持電極ＳＵ１−走査電極ＳＣ１−走査電極ＳＣ２−維持電極ＳＵ２−・・・となるように２本ずつ交互に配列されている。そして、本発明の第１の実施の形態においては奇数行目の走査電極ＳＣ１、ＳＣ３、・・・の補助電極２２ｂ’（図１の補助電極２２ｂ’）と対向するようにｎ／２本のプライミング電極ＰＲ１、ＰＲ３、・・・（図１のプライミング電極３６）が配列されている。
【００３３】
そして、一対の走査電極ＳＣｉ、維持電極ＳＵｉ（ｉ＝１〜ｎ）とひとつのデータ電極Ｄｊ（ｊ＝１〜ｍ）とを含む放電セルＣｉ，ｊ（図１の主放電セル４０）が放電空間内に形成される。このとき放電セルＣの総数はｍ×ｎ個になる。また１〜ｎ行のうちの奇数行に走査電極ＳＣｉの補助電極２２ｂ’とプライミング電極ＰＲｉとを含むプライミングセルＰＳｉ（図１のプライミングセル４１ａ）が形成され、プライミングセルＰＳの総数はｎ／２になる。
【００３４】
このように、本発明の第１の実施の形態におけるＰＤＰ１０においては、奇数行目の走査電極ＳＣｐ（ｐ＝奇数）は補助電極２２ｂ’を持ち、自己の走査に伴ってプライミング放電を発生させるとともに書込みを行う。一方、偶数行目の走査電極ＳＣｐ＋１は補助電極２２ｂ’がなく、自己の走査に伴うプライミング放電を発生させずに書込みを行う。
【００３５】
次に、ＰＤＰ１０に画像データを表示させるための駆動波形とそのタイミングについて説明する。
【００３６】
図４は、本発明の第１の実施の形態におけるＰＤＰ１０の駆動波形図である。なお、本発明の第１の実施の形態においては、１フィールド期間を発光期間の重みを持った複数のサブフィールドに分割し、発光させるサブフィールドの組み合わせによって階調表示を行う。また、各サブフィールドは初期化期間、書込み期間、維持期間を有しており、それぞれのサブフィールドは発光期間の重みを変えるため維持期間における維持パルスの数を異ならせている以外はほぼ同様の動作を行い、各サブフィールドにおける動作原理もほぼ同様であるので、ここではひとつのサブフィールドについてのみ動作を説明する。
【００３７】
初期化期間前半部では、データ電極Ｄ１〜Ｄｍ、維持電極ＳＵ１〜ＳＵｎおよびプライミング電極ＰＲ１〜ＰＲｎ−１をそれぞれ０（Ｖ）に保持し、走査電極ＳＣ１〜ＳＣｎには、維持電極ＳＵ１〜ＳＵｎに対して放電開始電圧以下の電圧Ｖｉ１から、放電開始電圧を越える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍ、プライミング電極ＰＲ１〜ＰＲｎ−１との間でそれぞれ一回目の微弱な初期化放電が起こる。そして、走査電極ＳＣ１〜ＳＣｎ上部に負の壁電圧が蓄積されるとともに、データ電極Ｄ１〜Ｄｍ上部、維持電極ＳＵ１〜ＳＵｎ上部およびプライミング電極ＰＲ１〜ＰＲｎ−１上部には正の壁電圧が蓄積される。ここで、電極上部の壁電圧とは電極を覆う誘電体層上に蓄積された壁電荷により生じる電圧をあらわす。
【００３８】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を越える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍ、プライミング電極ＰＲ１〜ＰＲｎ−１との間でそれぞれ二回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整され、プライミング電極ＰＲ１〜ＰＲｎ−１上部の正の壁電圧もプライミング動作に適した値に調整される。以上により初期化動作が終了する。
【００３９】
書込み期間では、走査電極ＳＣ１〜ＳＣｎを一旦電圧Ｖｃに保持する。そして、プライミング電極ＰＲ１〜ＰＲｎ−１に電圧変化分（Ｖｃ−Ｖｉ４）とほぼ等しい電圧Ｖｑを印加する。
【００４０】
まず、奇数行目の放電セルＣｐ，１〜Ｃｐ，ｍの書込み動作では、走査電極ＳＣｐに走査パルス電圧Ｖａを印加するとともに、表示すべき画像信号に対応するデータ電極Ｄｋ（ｋは１〜ｍの整数）に正の書込みパルスＶｄを印加する。奇数行目の走査電極ＳＣｐは自己の走査に伴ってプライミング放電を発生させるとともに書込みを行う走査電極である。したがって、この走査パルス電圧Ｖａの印加により、プライミングセルＰＳｐにおいてプライミング電極ＰＲｐと走査電極ＳＣｐとの間でプライミング放電が発生し、放電セルＣｐ，１〜Ｃｐ，ｍと放電セルＣｐ＋１，１〜ＣＰ＋１，ｍとの内部にプライミング粒子が供給される。このときの放電は、上述したようにプライミングセルが放電しやすい構造であるため、放電遅れが小さく速い安定したプライミング放電となる。
【００４１】
その後引き続いて書込みパルス電圧を印加したデータ電極Ｄｋに対応する放電セルＣｐ、ｋで書込み放電が発生する。このとき、放電セルＣｐ，ｋの放電は走査電極ＳＣｐとプライミング電極ＰＲｐとの間で発生したプライミング放電からプライミング粒子が供給されつつ発生するので、プライミングセルからプライミング粒子の供給が始まるまでの時間遅れはあるものの、プライミング供給後は放電遅れが小さく安定な放電となる。
【００４２】
この書込み放電により放電セルＣｐ，ｋの走査電極ＳＣｐ上部に正電圧が蓄積され、維持電極ＳＵｐ上部に負電圧が蓄積されて、奇数行目の書込み動作が終了する。
【００４３】
次に、偶数行目の放電セルＣｐ＋１，１〜ＣＰ＋１，ｍの書込み動作では、ｐ＋１行目の走査電極ＳＣＰ＋１に走査パルス電圧Ｖａを印加すると同時に、データ電極Ｄ１〜Ｄｍのうちｐ＋１行目に表示すべき画像信号に対応するデータ電極Ｄｋに正の書込みパルス電圧Ｖｄを印加する。これにより、データ電極Ｄｋと走査電極ＳＣＰ＋１との交差部で放電が発生する。このとき、放電セルＣＰ＋１，ｋでは走査電極ＳＣｐとプライミング電極ＰＲｐとの間で発生したプライミング放電から十分なプライミング粒子がすでに供給された状態で放電が発生するので、書込み放電の放電遅れは非常に小さく安定な放電となる。
【００４４】
この書込み放電により放電セルＣｐ＋１，ｋの走査電極ＳＣp上部に正電圧が蓄積され、維持電極ＳＵp上部に負電圧が蓄積されて、偶数行目の書込み動作が終了する。
【００４５】
以下、同様の書込み動作をｎ行目の放電セルＣｎ，ｋに至るまで行い、書込み動作が終了する。
【００４６】
維持期間では、走査電極ＳＣ１〜ＳＣｎおよび維持電極ＳＵ１〜ＳＵｎを０（Ｖ）に一旦戻した後、走査電極ＳＣ１〜ＳＣｎに正の維持パルス電圧Ｖｓを印加する。このとき、書込み放電を起こした放電セルＣｉ，ｊにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなる。これにより、放電セルＣｉ，ｊにおいて維持放電が発生する。以降同様に、走査電極ＳＣ１〜ＳＣｎと維持電極ＳＵ１〜ＳＵｎとに維持パルスを交互に印加することにより、書込み放電を起こした放電セルＣｉ，ｋに対して維持パルスの回数だけ維持放電が継続して行われる。
【００４７】
ここで、本発明の第１の実施の形態では、維持放電による発光の効率を改善するために、走査電極ＳＣｉと維持電極ＳＵｉとの間の維持放電に先行して、データ電極Ｄ１〜Ｄｍに予備放電パルス電圧Ｖｐを印加する。こうすることで、走査電極ＳＣｉまたは維持電極ＳＵｉのうちの負電荷に帯電した方の電極とデータ電極Ｄｋとの間に予備放電を発生させる。この予備放電は書込み期間に蓄積された壁電荷を消滅させない程度の短時間の放電であり、この予備放電によって維持放電による発光の効率を改善することができる。
【００４８】
次に、予備放電による発光の効率の改善の理由について説明する。
【００４９】
図５は、図４に示した駆動波形図の維持期間の拡大図である。なお、以下の説明における維持放電は、書込み放電を起こした放電セルＣｉ，ｋ内におけるものとする。
【００５０】
図５に示すように、まず、走査電極ＳＣｉまたは維持電極ＳＵｉに維持パルスを印加するよりもｔｐ前においてデータ電極Ｄｋに正の予備放電パルス電圧Ｖｐを印加する。この予備放電パルスの印加により、走査電極ＳＣｉと維持電極ＳＵｉとのうち負電荷に帯電した方の電極とデータ電極Ｄｋとの間に維持放電に先行して予備放電が発生する。次に、走査電極ＳＣｉまたは維持電極ＳＵｉに維持パルスを印加することで、走査電極ＳＣｉと維持電極ＳＵｉとの間に維持放電が発生する。このとき、予備放電に引き続き維持放電が発生するので、放電の経路（放電路）は走査電極ＳＣｉまたは維持電極ＳＵｉ−データ電極Ｄｋ間の放電路から走査電極ＳＣｉ―維持電極ＳＵｉ間の放電路に変化する。その結果、走査電極ＳＣｉと維持電極ＳＵｉとの間の放電路がデータ電極側に引き寄せられ、予備放電なしに維持放電を発生したときよりも放電路が長くなって、蛍光体を発光させるための紫外線の発生量が増えると考えられる。また、放電路が蛍光体に近づくことで、蛍光体に到達するまでに放電ガスに吸収される紫外線の量が減り、蛍光体の発光量がさらに増えると考えられる。これらのことにより、維持放電電圧を上げることなく発光量を増やすことができ、単位消費電力あたりの発光量すなわち発光効率が向上するものと思われる。以上が、予備放電によって発光の効率が改善する理由である。なお、予備放電パルスのパルス幅は、少なくとも予備放電が発生してから維持放電が発生するまでの範囲に設定すればよい。
【００５１】
一方、プライミングセルＰＳｐにはプライミング電極ＰＲｐとｍ本のデータ電極Ｄｋとが立体交差して対面する領域（以下、対面領域と略記する）があり、一本のプライミング電極ＰＲｐにはｍ個の対面領域が生じる。すなわち、ＰＤＰ１０全体ではｍ×ｎ／２個の対面領域が生じることになる。この対面領域では、図１に示したように、誘電体層３３ａがデータ電極３２とプライミング電極３６との間に挟まれているため、寄生容量が発生する。この寄生容量は対面領域の面積に依存しており、ＰＤＰ１０の高精細化によってデータ電極３２の数が増えれば、対面領域が増え、寄生容量が増加する。
【００５２】
データ電極３２に駆動電圧を印加する際、この寄生容量の充電に電力の一部が使用される。これは、ＰＤＰ１０の発光に寄与することのない無効な電力（無効電力）である。また、プライミング電極３６とデータ電極３２との間の電位差が大きいと寄生容量の充電に必要な電力も増え、無効電力が増大する。
【００５３】
そこで、本発明の第１の実施の形態では、この無効電力を低減するために、図５に示すように、維持期間においてデータ電極（図１のデータ電極３２）に印加される予備放電のための駆動波形と同じ電圧波形をプライミング電極（図１のプライミング電極３６）に印加する。こうすることで、プライミング電極３６とデータ電極３２との間の電位差を小さくして寄生容量の充電に消費される電力を減らすことができ、無効電力を低減することができる。
【００５４】
次に、本発明の第１の実施の形態におけるＰＤＰ１０の駆動装置について説明する。
【００５５】
図６は、本発明の第１の実施の形態におけるＰＤＰ１０の駆動装置のブロック図である。駆動装置１００は、映像信号処理回路１１０、データ電極駆動回路１２０、タイミング制御回路１３０、走査電極駆動回路１４０、維持電極駆動回路１５０、切替え手段である切替え回路１６１、プライミング電極駆動回路１６０、電源回路（図示せず）を備えている。
【００５６】
映像信号処理回路１１０は、映像信号を各サブフィールドの制御を行うサブフィールド信号に変換する。データ電極駆動回路１２０は、サブフィールド信号を書込みパルスに変換し、書込みパルスを含む駆動波形をデータ電極３２に印加する。
【００５７】
走査電極駆動回路１４０は、書込み期間に走査電極（図１の走査電極２２）に印加する走査パルスを発生するためのスキャンドライバ１４１を備え、走査パルスを含む駆動波形を走査電極２２に印加する。維持電極駆動回路１５０は、維持パルスを含む駆動波形を維持電極（図１の維持電極２３）に印加する。
【００５８】
プライミング電極駆動回路１６０は、プライミング放電のためにプライミング電極３６に印加する電圧波形を発生する。また、切替え回路１６１は、データ電極駆動回路１２０からの出力とプライミング電極駆動回路１６０からの出力とを切替えて出力し、プライミング電極３６に印加する。
【００５９】
なお、各回路ブロックには電源回路（図示せず）から必要な電力が供給されている。
【００６０】
次に、データ電極駆動回路１２０および切替え回路１６１の詳細について説明する。図７は本発明の第１の実施の形態におけるデータ電極駆動回路１２０および切替え回路１６１の回路図である。データ電極駆動回路１２０は、第１の電圧印加手段である電力回収部４１０と、第２の電圧印加手段である電圧クランプ部４２０と、データドライバ４３０とを備えている。電力回収部４１０は、インダクタンス素子であるコイル４１２を用いることによりＰＤＰ１０の負荷容量（データ電極３２と他の電極間に生じる負荷容量）とコイル４１２のインダクタンスを共振させて電力の回収および供給を行う。電力の回収時は、ＰＤＰ１０の負荷容量に蓄えられた電力を、逆流防止用ダイオード４３６およびスイッチング素子（以下、ＦＥＴと略記する）４３３を介して回収コンデンサ４１１に移動する。電力の供給時は、逆に回収コンデンサ４１１に蓄えられた電力を、ＦＥＴ４３１および逆流防止用ダイオード４３５を介してＰＤＰ１０に移動する。こうしてデータ電極３２の駆動を行う。したがって電力回収部４１０は、電源から電力を供給されることなく、ＬＣ共振によってデータ電極３２の駆動を行うため、実質的な消費電力は０となる。
【００６１】
一方、電圧クランプ部４２０は、定電圧電源であるデータ電源４２１からＰＤＰ１０にＦＥＴ４３２を介して電力を供給し、またＰＤＰ１０の電力をＦＥＴ４３４を介してＧＮＤに放出する。
【００６２】
データドライバ４３０は、書込み期間において表示すべき画像信号に対応するデータ電極３２に書込みパルス電圧を印加するための、映像信号に応じたスイッチング動作を行う。
【００６３】
切替え手段である切替え回路１６１は、ＦＥＴ１６２、１６３を有し、データ電極駆動回路１２０からの出力とプライミング電極駆動回路１６０からの出力とのいずれかをプライミング電極３６に印加するスイッチング動作を行う。そして、維持期間においてはデータ電極駆動回路１２０からの出力をプライミング電極３６に印加するようにＦＥＴ１６２、１６３を切替え、維持期間以外の期間においてはプライミング電極駆動回路１６０からの出力をプライミング電極３６に印加するようにＦＥＴ１６２、１６３を切替える。すなわち、切替え回路１６１は、維持期間において、データ電極３２に印加される予備放電パルス電圧Ｖｐと同じ電圧波形をプライミング電極３６に印加するためのスイッチング動作を行うものである。こうして、本発明の第１の実施の形態では、維持期間においてデータ電極３２に印加される予備放電のための駆動波形と同じ電圧波形をプライミング電極３６にも印加する。こうすることで、プライミング電極３６とデータ電極３２との間の電位差を小さくし、寄生容量の充電に消費される電力を減らすことで無効電力を低減する。
【００６４】
図８は、本発明の第１の実施の形態における予備放電パルスの電圧波形とＦＥＴ４３１〜４３４の導通状態を示す図である。図８を用いて、電力回収部４１０および電圧クランプ部の切替えのタイミングとデータ電極駆動回路１２０から出力される電圧波形について説明する。なお、以下は維持期間における動作であるので、ＦＥＴ１６２はオン、ＦＥＴ１６３はオフとして説明を行う。
【００６５】
まず、ｔＡ１期間は、ＦＥＴ４３１をオンとし、ＦＥＴ４３２〜４３４をオフとする。こうすることで電力回収部４１０のコイル４１２のインダクタンスとＰＤＰ１０の負荷容量とがＬＣ共振を起こし、回収コンデンサ４１１からコイル４１２を通してＰＤＰ１０に電流が流れ始め、ＰＤＰ１０への電力供給を行う。このとき回収コンデンサ４１１の容量はＰＤＰ１０の負荷容量に比較して十分大きいため、実質的に電源として働く。また、回収コンデンサ４１１はデータ電源４２１の電圧Ｖｄの半分である１／２Ｖｄに充電されており、コイル４１２のインダクタンスのためデータ電極駆動回路１２０の出力電圧が回収コンデンサ４１１の電圧の２倍近いＶ１に達した時点で電流が０となる。このとき、出力電圧は極大値Ｖ１となるが、放電による電力消費、駆動インピーダンスの電圧降下などの原因により、データ電源４２１の電圧Ｖｄと等しい電圧までは上がらない。
【００６６】
続くｔＡ２期間では、予備放電パルスの電圧が極大値Ｖ１になった時点でＦＥＴ４３２をオンとし、ＦＥＴ４３１、４３３、４３４をオフとして、電圧クランプ部４２０による電圧印加に切替える。こうすることで、定電圧電源であるデータ電源４２１からＰＤＰ１０へＦＥＴ４３２を介して電力が供給され、予備放電パルスは速やかに電圧Ｖｄまで引き上げられる。
【００６７】
続くｔＡ３期間では、再び電力回収部４１０による電圧印加に切替える。ＦＥＴ４３３をオンとし、ＦＥＴ４３１、４３２、４３４をオフとすると、コイル４１２を通してＰＤＰ１０から回収コンデンサ４１１に電流が流れ始め、ＰＤＰ１０の電力が回収コンデンサ４１１に充電される。そして予備放電パルスの電圧がＶ０に達した時点でＰＤＰ１０から回収コンデンサ４１１に流れる電流が０となり、ＰＤＰ１０の電圧は極小値Ｖ０になる。この場合は放電による電力消費はないが、駆動インピーダンスなどのため、極小値Ｖ０はＧＮＤより高くなる。
【００６８】
続くｔＡ４期間では、予備放電パルスの電圧が極小値Ｖ０になった時点で、ＦＥＴ４３４をオンとし、ＦＥＴ４３１〜４３３をオフとして、再び電圧クランプ部４２０に切替える。こうすることでＰＤＰ１０に残留した電力をＧＮＤへ放出し、予備放電パルスの電圧は速やかに０（Ｖ）に引き下げられる。
【００６９】
このように予備放電パルスは、予備放電パルスの電圧が極大値Ｖ１になるまで電力回収部４１０によって電力供給を行い、その後電圧クランプ部４２０に切替えるので、実質的な消費電力が０である電力回収部４１０を最大限に利用した駆動波形であり、データ電極駆動回路１２０の消費電力を最小にすることができる。
【００７０】
こうして、データ電極駆動回路１２０は電力回収部４１０および電圧クランプ部４２０を切替えて駆動波形を出力し、書込み期間においてはデータ電極３２に書込みパルスＶｄを印加し、維持期間においてはデータ電極３２に予備放電パルス電圧Ｖｐを印加して、データ電極３２の駆動を行う。また、予備放電パルスの立上り期間であるｔＡ１期間および立下り期間であるｔＡ３期間では電力回収部４１０を利用しているため、電圧クランプ部４２０を利用した場合と比べて電圧変化が緩やかである。しかし、本発明の第１の実施の形態では、維持期間において、データ電極駆動回路１２０から出力される予備放電パルス電圧と同じ電圧波形を切替え回路１６１によってプライミング電極３６に印加するので、ｔＡ１期間およびｔＡ３期間においてもデータ電極とプライミング電極との間の電位差を小さくすることができる。
【００７１】
なお、図８ではデータ電極駆動回路１２０の維持期間におけるデータ電極３２への予備放電パルス電圧の印加を説明したが、書込み期間における書込みパルス電圧の印加も同様である。
【００７２】
このように、本発明の第１の実施の形態では、奇数行目の放電セルの書込み動作において、背面基板側に設けたプライミング電極と前面基板側に設けた走査電極との間でプライミング放電を発生させ、放電セルの内部にプライミングを供給することで、放電遅れが小さく、高速かつ安定な書込み放電を実現することができる。また、維持放電に先立って補助放電を発生させることで、発光効率を向上させることができる。また、ＰＤＰ１０の負荷容量に充電された電力を回収して利用することでデータ電極駆動回路１２０の消費電力を最小にすると同時に、少なくとも維持期間において、回収した電力を利用してデータ電極に印加する駆動波形と同じ電圧波形をプライミング電極にも印加することで、データ電極とプライミング電極との間の電位差を小さくして寄生容量の充電に消費される無効電力を低減し、消費電力を削減することができる。
【００７３】
本発明の第１の実施の形態による消費電力の削減効果を確認するため、消費電力の比較実験を行った。この実験では、１３インチのＰＤＰに輝度レベル０％のテスト信号を入力し、維持期間の間プライミング電極３６にデータ電極３２と同じ電圧波形を与えた場合の消費電力と、プライミング電極３６を０（Ｖ）に固定した場合の消費電力とをそれぞれ調べ、比較した。このとき、予備放電パルス幅を約１．３μｓｅｃ、走査電極ＳＣｉまたは維持電極ＳＵｉに維持パルスを印加してから予備放電パルスが立ち下がるまで時間ｔｓを約２００ｎｓｅｃとし、Ｖｐを１００（Ｖ）、Ｖｓを１７０（Ｖ）とした。この実験の結果では、プライミング電極３６を０（Ｖ）に固定した場合の消費電力が約１８（ｗ）であったのに対し、維持期間の間プライミング電極３６にデータ電極３２と同じ電圧波形を与えた場合の消費電力は約１２（ｗ）となり、約６（ｗ）の消費電力の削減を確認することができた。
【００７４】
なお、第１の実施の形態の図７で示した構成は本発明の一実施例に過ぎず、ＰＤＰの負荷容量に充電された電力を回収してデータ電極およびプライミング電極を駆動することができる構成であれば、同様の効果を得ることができる。
【００７５】
例えば、図９は本発明の第１の実施の形態におけるデータ電極駆動回路１２０および切替え回路１６１の他の回路例を示したものである。電力回収部４１０は、インダクタンス素子であるコイル４１２を用いることによりＰＤＰ１０の負荷容量（プライミング電極３６と他の電極間に生じる負荷容量）とコイル４１２のインダクタンスを共振させて電力の回収および供給を行う。電力の回収時は、ＰＤＰ１０の負荷容量に蓄えられた電力を、逆流防止用ダイオード４３６およびＦＥＴ４３３を介して回収コンデンサ４１１に移動する。電力の供給時は、逆に回収コンデンサ４１１に蓄えられた電力を、ＦＥＴ４３１および逆流防止用ダイオード４３５を介してＰＤＰ１０に移動する。
【００７６】
切替え回路１６１のＦＥＴ１６３は、維持期間においてプライミング電極駆動回路１６０からの出力がプライミング電極３６に印加されないように、維持期間以外の期間においてはプライミング電極駆動回路１６０からの出力をプライミング電極３６に印加するようにスイッチング動作を行う。またＦＥＴ１６２は、回収コンデンサ４１１からプライミング電極３６への電流が止まった時点で、プライミング電極３６にデータ電源４２１から印加電圧Ｖｄを印加するためのスイッチング動作を行う。
【００７７】
図１０は、図９に示した回路例の電圧波形とＦＥＴ４３１〜４３４、１６２の導通状態を示す図である。また、以下は維持期間における動作であるので、ＦＥＴ１６３はオフとして説明を行う。
【００７８】
まず、ｔＡ１期間は、ＦＥＴ４３１をオンとし、ＦＥＴ４３２〜４３４をオフとする。こうすることで電力回収部４１０のコイル４１２のインダクタンスとＰＤＰ１０の負荷容量とがＬＣ共振を起こし、回収コンデンサ４１１からコイル４１２を通してＰＤＰ１０に電流が流れ始め、ＰＤＰ１０への電力供給を行う。このとき、ＦＥＴ４３２、４３４はオフでありデータ電極３２は開放状態となっているため、プライミング電極３６に印加された電圧は、プライミング電極３６とデータ電極３２との間の寄生容量を通してデータ電極３２にも同様に印加され、データ電極３２の電位はプライミング電極３６の電位とほぼ等しくなる。
【００７９】
続くｔＡ２期間では、プライミング電極３６への印加電圧が極大値Ｖ１になった時点でＦＥＴ４３２、１６２をオンとし、ＦＥＴ４３１、４３３、４３４をオフとして、電圧クランプ部４２０による電圧印加に切替える。こうすることで、データ電源４２１から、ＦＥＴ４３２を介してデータ電極３２へ、ＦＥＴ１６２を介してプライミング電極３６へ、それぞれ電力が供給され、プライミング電極３６およびデータ電極３２への印加電圧は速やかに電圧Ｖｄまで引き上げられる。
【００８０】
続くｔＡ３期間では、再び電力回収部４１０による電圧印加に切替える。ＦＥＴ４３３をオンとし、ＦＥＴ４３１、４３２、４３４、１６２をオフとすると、コイル４１２を通してＰＤＰ１０から回収コンデンサ４１１に電流が流れ始め、ＰＤＰ１０の電力が回収コンデンサ４１１に充電される。そしてプライミング電極３６の電圧がＶ０に達した時点でＰＤＰ１０から回収コンデンサ４１１に流れる電流が０となり、ＰＤＰ１０の電圧は極小値Ｖ０になる。この場合は放電による電力消費はないが、駆動インピーダンスなどのため、極小値Ｖ０はＧＮＤより高くなる。
【００８１】
続くｔＡ４期間では、プライミング電極３６の電圧が極小値Ｖ０になった時点で、ＦＥＴ４３４をオンとし、ＦＥＴ４３１〜４３３、１６２をオフとして、再び電圧クランプ部４２０に切替える。こうすることでＰＤＰ１０に残留した電力がＧＮＤへ放出され、データ電極３２およびプライミング電極３６の電圧は速やかに０（Ｖ）に引き下げられる。
【００８２】
以上が、図９に示した回路例の維持期間における動作状態と電圧波形である。
【００８３】
なお、予備放電電圧が放電開始電圧よりも低く予備放電を発生しなかったとしても、維持放電のための電子の流れをデータ電極側に引き寄せて放電路を長くすることができるだけの正の電圧であれば、発光効率を向上させることは可能である。
【００８４】
また、本発明の第１の実施の形態では、電力回収部を回収コンデンサおよびコイルによって構成する例を説明したが、この構成に何ら限定するものではなく、ＰＤＰに蓄えられた電力を回収して利用することができれば、どのような構成であってもかまわない。
【００８５】
また、本発明における同じ電圧波形とは実質的に同じ波形であることを示しており、データ電極に印加する電圧波形とプライミング電極に印加する電圧波形との多少の時間的なずれおよび電圧値の差は、本発明の目的とする効果が得られる範囲で許容される。
【００８６】
そして、以上の説明から明らかなように、本発明は通常のＰＤＰのみならず、データ電極や走査電極の数を多くして高精細化したＰＤＰに用いて特に有効である。
【産業上の利用可能性】
【００８７】
本発明に係るプラズマディスプレイ装置およびその駆動方法は、書込み動作時の放電遅れを短くして放電特性を安定化させるＰＤＰを発光効率を改善した駆動方法によって駆動する際、さらに無効電力を低減して消費電力を削減することができ、壁掛けテレビや大型モニターなどのディスプレイ装置およびその駆動方法として有用である。
【図面の簡単な説明】
【００８８】
【図１】本発明の第１の実施の形態におけるＰＤＰを示す断面図
【図２】同ＰＤＰの背面基板側の構造を模式的に示す斜視図
【図３】同ＰＤＰの電極配列図
【図４】同ＰＤＰの駆動波形図
【図５】図４に示した駆動波形図の維持期間の拡大図
【図６】同ＰＤＰの駆動装置のブロック図
【図７】同ＰＤＰのデータ電極駆動回路および切替え回路の回路図
【図８】本発明の第１の実施の形態における予備放電パルスの電圧波形とＦＥＴの導通状態を示す図
【図９】同ＰＤＰのデータ電極駆動回路および切替え回路の他の回路例を示す図
【図１０】図９に示した回路の電圧波形とＦＥＴの導通状態を示す図
【符号の説明】
【００８９】
１０    プラズマディスプレイパネル
２１    （ガラス製の）前面基板
２２    走査電極
２２ａ，２３ａ    透明電極
２２ｂ，２３ｂ    金属母線
２２ｂ’    補助電極
２３    維持電極
２４    前面板誘電体層
３３ａ，３３ｂ    誘電体層
２５    保護層
２８    光吸収層
３１    （ガラス製の）背面基板
３２    データ電極
３４    隔壁
３４ａ    縦隔壁
３４ｂ    横隔壁
３５    蛍光体層
３６    プライミング電極
４０    主放電セル
４１    隙間部
４１ａ    プライミング（放電）セル
５０    前面板
６０    背面板
１００    駆動装置
１１０    映像信号処理回路
１２０    データ電極駆動回路
１３０    タイミング制御回路
１４０    走査電極駆動回路
１４１    スキャンドライバ
１５０    維持電極駆動回路
１６０    プライミング電極駆動回路
１６１    切替え回路
４１０    電力回収部
４１１    回収コンデンサ
４１２    コイル
４２０    電圧クランプ部
４２１    データ電源
４３０    データドライバ
１６２，１６３，４３１，４３２，４３３，４３４    スイッチング素子
４３５，４３６    逆流防止用ダイオード
【図１】
2005338457.tif 000003
【図２】
2005338457.tif 000004
【図３】
2005338457.tif 000005
【図４】
2005338457.tif 000006
【図５】
2005338457.tif 000007
【図６】
2005338457.tif 000008
【図７】
2005338457.tif 000009
【図８】
2005338457.tif 000010
【図９】
2005338457.tif 000011
【図１０】
2005338457.tif 000012